(57)【要約】【課題】効率的な接地工事を設計できるようにすること。【解決手段】携帯端末１０から接地工事を行う変圧器が設置される電柱番号と、変圧器の接地抵抗の規定値を含む設計情報を受信し、受信した設計情報に含まれる電柱番号に基づいて設備データベース３０２から対応する位置情報を取得する。取得した位置情報に基づいて地質マップデータベース３０４から対応する地質情報を取得する。過去の接地工事データを記憶する接地工事データベース３１０から、取得した地質情報と同じ地質情報を含む接地工事データを抽出する。抽出した接地工事データに基づいて、受信した設計情報に含まれる接地抵抗の規定値を満たすように、接地方式毎またはこれらの接地方式を組み合わせて、最低限必要な接地極の設置数を算出し、この算出した結果を利用者端末１０に送信する。【選択図】  図３
2006079400.tif 000002
【特許請求の範囲】
【請求項１】
電柱に設置された電気設備と接続された接地極を大地に埋設し、この埋設した接地極の接地抵抗値を所定の規定値以下とする接地工事の設計を支援するための接地工事設計支援システムであって、
利用者端末から、接地工事を行う電気設備が設置される電柱の識別情報、および、この電気設備の接地抵抗の規定値を含む設計情報を受信する受信部と、
各電柱について識別情報と位置情報と対応づけて記憶する設備データベースと、
各地域について位置情報と地質情報とを対応づけて記憶する地質マップデータベースと、
各電柱の電気設備に実施された過去の接地工事において、電柱の識別情報と、接地極の接地方式、接地極の設置数、および接地極の接地抵抗値を表す接地情報とを有する接地工事データを記憶する接地工事データベースと、
前記受信した設計情報に含まれる電柱の識別情報に基づいて、前記設備データベースから、対応する前記電柱の位置情報を取得する位置情報取得部と、
この取得した位置情報に基づいて、前記地質マップデータベースから、対応する地質情報を取得する地質情報取得部と、
この取得した地質情報と同じ地質情報の地域で行われた接地工事についての接地工事データを前記接地工事データベースから抽出する接地工事データ抽出部と、
この抽出した接地工事データを参照して、前記設計情報に含まれる接地抵抗の規定値を満たすように、前記接地方式毎またはこれらの接地方式を組み合わせて、最低限必要な前記接地極の設置数を算出し、この算出した結果を前記利用者端末に送信する算出処理部と、を備えることを特徴とする接地工事設計支援システム。
【請求項２】
請求項１に記載の接地工事設計支援システムにおいて、
前記接地工事データベースに記憶された接地工事データには、地質情報が含まれ、
前記接地工事データ抽出部は、前記地質情報取得部で取得した地質情報と同じ地質情報を含む接地工事データを前記接地工事データベースから抽出することを特徴とする接地工事設計支援システム。
【請求項３】
請求項１または請求項２に記載の接地工事設計支援システムにおいて、
前記接地工事データ抽出部で抽出した接地工事データのうち、前記算出処理部で利用する接地工事データを所定の条件に基づいて絞り込む絞込部を備えることを特徴とする接地工事設計支援システム。
【請求項４】
請求項３に記載の接地工事設計支援システムにおいて、
前記絞込部は、前記位置情報取得部で取得した電柱の位置情報に基づいて、この電柱から最短距離に位置する電柱で実施された接地工事データを選択する距離選択部を備えることを特徴とする接地工事設計支援システム。
【請求項５】
請求項４に記載の接地工事設計支援システムにおいて、
前記電柱の識別情報は、地域コードと、番号コードとにより構成され、
前記距離選択部は、抽出された接地工事データのうち、前記設計情報に含まれる電柱の識別情報の地域コードと同じ地域コードを有する電柱の識別情報を含む接地工事データを選択することを特徴とする接地工事設計支援システム。
【請求項６】
請求項３〜請求項５のいずれかに記載の接地工事設計支援システムにおいて、
前記接地工事データベースは、前記接地工事を実施した日時の情報を含み、
前記絞込部は、前記日時の情報と同じ時期に該当する日時の情報を含む接地工事データを選択する時期選択部を備えることを特徴とする接地工事設計支援システム。
【請求項７】
請求項３〜請求項６のいずれかに記載の接地工事設計支援システムにおいて、
前記接地工事データベースは、前記接地工事を実施した箇所の、山沿いや川沿い等の地形情報を含み、
前記絞込部は、前記地形情報と同じ地形情報を含む接地工事データを選択する地形選択部を備えることを特徴とする接地工事設計支援システム。
【請求項８】
請求項３〜請求項７のいずれかに記載の接地工事設計支援システムにおいて、
前記接地方式毎に前記接地極を適切に設置可能な地目を記憶する接地方式データベースを備え、
この接地方式データベースは、前記接地極が設置された地目の情報を含み、
前記絞込部は、前記接地方式データベースに基づいて、前記地目に適した前記接地方式を選択する接地方式選択部を備えることを特徴とする接地工事設計支援システム。
【請求項９】
請求項１〜請求項８のいずれかに記載の接地工事設計支援システムにおいて、
前記接地方式毎に、接地極を１本設置するのに必要な費用の情報を記憶する接地費用データベースを備え、
前記算出処理部は、前記接地費用データベースに基づいて、最低限必要な前記接地極の設置数に対応する設置費用を算出することを特徴とする接地工事設計支援システム。
【請求項１０】
電柱に設置された電気設備と接続された接地極を大地に埋設し、この埋設した接地極の接地抵抗値を所定の規定値以下とする接地工事の設計を支援するための接地工事設計支援方法であって、
利用者端末から、接地工事を行う電気設備が設置される電柱の識別情報、および、この電気設備の接地抵抗の規定値を含む設計情報を受信するステップと、
受信した設計情報に含まれる電柱の識別情報に基づいて、各電柱について識別情報と位置情報と対応づけて記憶する設備データベースから、対応する前記電柱の位置情報を取得するステップと、
この取得した位置情報に基づいて、各地域について位置情報と地質情報と対応づけて記憶する地質マップデータベースから、対応する地質情報を取得するステップと、
各電柱の電気設備に実施された過去の接地工事において、電柱の識別情報と、接地極の接地方式、接地極の設置数、および接地極の接地抵抗値を表す接地情報とを有する接地工事データを記憶する接地工事データベースから、前記取得した地質情報と同じ地質情報の地域で行われた接地工事についての接地工事データを抽出し、この抽出した接地工事データに基づいて、前記設計情報に含まれる接地抵抗の規定値を満たすように、前記接地方式毎またはこれらの接地方式を組み合わせて、最低限必要な前記接地極の設置数を算出し、この算出した結果を前記利用者端末に送信するステップと、
を備えることを特徴とする接地工事設計支援方法。
【発明の詳細な説明】
【技術分野】
【０００１】
本発明は、接地工事設計支援システムおよび接地工事設計支援方法に関し、特に、効率的な接地工事を設計できる接地工事設計支援システムおよび接地工事設計支援方法に関する。
【背景技術】
【０００２】
従来より、感電・漏電事故等を防止する目的で、電柱上に設置された電気設備の接地線と接続された接地極を大地に埋設することにより、電気設備と大地とを電気的に接続する接地工事が行われている。この接地極は、電気設備に生じた故障電流が人体側へ流れないように、接地抵抗値を所定の規定値以下とすることが義務づけられている（非特許文献１参照）。また、接地工事の施工方式（接地方式）としては、例えば、ハンマー等で比較的簡単に打ち込む連結式や、比較的硬い地盤に専用工具を用いて深く打ち込む深打ち式、下層に岩盤等を有する地盤に専用工具を用いて浅く打ち込む浅打ち式、電柱用の孔の底部に接地板を設置する接地板式、その他特殊深打ち式等があり、接地極を打ち込む地盤の種類（地目）や費用等を考慮して、適宜選択される。
【非特許文献１】“電気設備に関する技術基準を定める省令”、［online］、平成９年３月２７日、経済産業省、［平成１６年８月１１日検索］、インターネット＜http://law.e-gov.go.jp/cgi-bin/idxselect.cgi?IDX_OPT=1&H_NAME=%93%64%8b%43%90%dd%94%f5%82%c9%8a%d6%82%b7%82%e9%8b%5a%8f%70%8a%ee%8f%80%82%f0%92%e8%82%df%82%e9%8f%c8%97%df&H_NAME_YOMI=%82%a0&H_NO_GENGO=H&H_NO_YEAR=&H_NO_TYPE=2&H_NO_NO=&H_FILE_NAME=H09F03801000052&H_RYAKU=1&H_CTG=1&H_YOMI_GUN=1&H_CTG_GUN=1＞
【発明の開示】
【発明が解決しようとする課題】
【０００３】
しかしながら、接地極を設置する地盤の地質によっては、その抵抗値が大きく変化することがあるため、電気設備を新たに設置する場合には、接地抵抗値が規定値を満たすために、どの方式の接地方式で何本接地極を打ち込めばよいか事前に予測することが困難である。従来は、地表面や周囲の風景、経験等を頼りに接地工事を設計してから、実際に接地極を地盤に打ち込み、そして、その接地抵抗値を測定してから、所定の規定値を満たしているか否かを調査している。このため、接地極数が多すぎて無駄な作業や費用が生じる場合や、接地極数が不足して接地抵抗値が規定値を満たさず追加の接地工事が必要になる場合があり、接地工事の作業が非効率的である。このため、接地工事を行う前、すなわち、接地工事の設計段階で、効率的な接地極の接地方式や設置数を把握できることが望まれている。
【０００４】
本発明の目的は、効率的な接地工事を設計できる接地工事設計支援システムおよび接地工事設計支援方法を提供することにある。
【課題を解決するための手段】
【０００５】
本発明は、電柱に設置された電気設備と接続された接地極を大地に埋設し、この埋設した接地極の接地抵抗値を所定の規定値以下とする接地工事の設計を支援するための接地工事設計支援システムであって、利用者端末から、接地工事を行う電気設備が設置される電柱の識別情報、および、この電気設備の接地抵抗の規定値を含む設計情報を受信する受信部と、各電柱について識別情報と位置情報と対応づけて記憶する設備データベースと、各地域について位置情報と地質情報とを対応づけて記憶する地質マップデータベースと、各電柱の電気設備に実施された過去の接地工事において、電柱の識別情報と、接地極の接地方式、接地極の設置数、および接地極の接地抵抗値を表す接地情報とを有する接地工事データを記憶する接地工事データベースと、前記受信した設計情報に含まれる電柱の識別情報に基づいて、前記設備データベースから、対応する前記電柱の位置情報を取得する位置情報取得部と、この取得した位置情報に基づいて、前記地質マップデータベースから、対応する地質情報を取得する地質情報取得部と、この取得した地質情報と同じ地質情報の地域で行われた接地工事についての接地工事データを前記接地工事データベースから抽出する接地工事データ抽出部と、この抽出した接地工事データを参照して、前記設計情報に含まれる接地抵抗の規定値を満たすように、前記接地方式毎またはこれらの接地方式を組み合わせて、最低限必要な前記接地極の設置数を算出し、この算出した結果を前記利用者端末に送信する算出処理部と、を備えることを特徴とする。
【０００６】
この接地工事設計支援システムにおいて、前記接地工事データベースに記憶された接地工事データには、地質情報が含まれ、前記接地工事データ抽出部は、前記地質情報取得部で取得した地質情報と同じ地質情報を含む接地工事データを前記接地工事データベースから抽出することとしてもよい。
【０００７】
以上の接地工事設計支援システムにおいて、前記接地工事データ抽出部で抽出した接地工事データのうち、前記算出処理部で利用する接地工事データを所定の条件に基づいて絞り込む絞込部を備えることとしてもよい。
【０００８】
ここで、前記絞込部は、前記位置情報取得部で取得した電柱の位置情報に基づいて、この電柱から最短距離に位置する電柱で実施された接地工事データを選択する距離選択部を備えることとしてもよい。この際、前記電柱の識別情報は、地域コードと、番号コードとにより構成され、前記距離選択部は、抽出された接地工事データのうち、前記設計情報に含まれる電柱の識別情報の地域コードと同じ地域コードを有する電柱の識別情報を含む接地工事データを選択することとしてもよい。
【０００９】
また、前記接地工事設計支援システムにおいて、前記接地工事データベースは、前記接地工事を実施した日時の情報を含み、前記絞込部は、前記日時の情報と同じ時期に該当する日時の情報を含む接地工事データを選択する時期選択部を備えることとしてもよい。
【００１０】
また、前記接地工事設計支援システムにおいて、前記接地工事データベースは、前記接地工事を実施した箇所の、山沿いや川沿い等の地形情報を含み、前記絞込部は、前記地形情報と同じ地形情報を含む接地工事データを選択する地形選択部を備えることとしてもよい。
【００１１】
また、前記接地工事設計支援システムにおいて、前記接地方式毎に前記接地極を適切に設置可能な地目を記憶する接地方式データベースを備え、この接地方式データベースは、前記接地極が設置された地目の情報を含み、前記絞込部は、前記接地方式データベースに基づいて、前記地目に適した前記接地方式を選択する接地方式選択部を備えることとしてもよい。
【００１２】
また、前記接地工事設計支援システムにおいて、前記接地方式毎に、接地極を１本設置するのに必要な費用の情報を記憶する接地費用データベースを備え、前記算出処理部は、前記接地費用データベースに基づいて、最低限必要な前記接地極の設置数に対応する設置費用を算出することとしてもよい。
【００１３】
本発明は、電柱に設置された電気設備と接続された接地極を大地に埋設し、この埋設した接地極の接地抵抗値を所定の規定値以下とする接地工事の設計を支援するための接地工事設計支援方法であって、利用者端末から、接地工事を行う電気設備が設置される電柱の識別情報、および、この電気設備の接地抵抗の規定値を含む設計情報を受信するステップと、受信した設計情報に含まれる電柱の識別情報に基づいて、各電柱について識別情報と位置情報と対応づけて記憶する設備データベースから、対応する前記電柱の位置情報を取得するステップと、この取得した位置情報に基づいて、各地域について位置情報と地質情報と対応づけて記憶する地質マップデータベースから、対応する地質情報を取得するステップと、各電柱の電気設備に実施された過去の接地工事において、電柱の識別情報と、接地極の接地方式、接地極の設置数、および接地極の接地抵抗値を表す接地情報とを有する接地工事データを記憶する接地工事データベースから、前記取得した地質情報と同じ地質情報の地域で行われた接地工事についての接地工事データを抽出し、この抽出した接地工事データに基づいて、前記設計情報に含まれる接地抵抗の規定値を満たすように、前記接地方式毎またはこれらの接地方式を組み合わせて、最低限必要な前記接地極の設置数を算出し、この算出した結果を前記利用者端末に送信するステップと、を備えることを特徴とする。
【発明の効果】
【００１４】
本発明によれば、接地工事の設計作業者等の利用者端末に対して、接地方式毎または接地方式を組み合わせて、最低限必要な接地極の設置数の情報を提供することにより、効率的な接地工事を設計することができるという効果がある。
【発明を実施するための最良の形態】
【００１５】
以下、本発明の一実施形態に係る接地工事設計支援システムを図面に基づいて説明する。まず始めに、本システムが利用される接地工事自体について説明する。図１は、接地工事が実施された電柱２を示す模式図である。図１に示すように、電柱２には、高圧電気を低圧電気に変成する電気設備としての変圧器３が設置されている。変圧器３の低電圧側には、接地線４が接続されている。接地線４は、電柱２に沿って下方へと延びている。接地線４の先端には、接地極５が設けられ、接地極５は地中に埋設されている。接地極５は、その接地抵抗値が所定の規定値以下となるように、地盤の地質等に応じて１本または複数本が埋設されている。例えば、所望する規定値が６５Ωで、接地極５を１本設置した時の接地抵抗値が１００Ωだった場合には、接地極５を２本設置して接地抵抗値を５０Ωとすること等により、上記の条件を満たすことが可能となる。
【００１６】
このような接地工事の施工方式（接地方式）としては、例えば、連結式や、深打ち式、浅打ち式、接地板式、その他特殊深打ち式等がある。連結式とは、ハンマーや電動ピック等を用いて、接地極を３ｍ程度の深さまで手打ちで打ち込む方式であり、粘度や一般土質等の比較的軟らかい地盤に適している。深打ち式とは、専用工具を用いて、接地極を３．５〜５ｍ程度の深さまで機械打ちで打ち込む方式であり、河川敷等の転石や玉石等が混じった土質の地盤に適している。浅打ち式とは、専用工具を用いて、接地極を１．５ｍ程度の深さまで手打ちまたは機械打ちで打ち込む方式であり、地盤の下層に岩盤等の硬質層を有する地盤に適している。また、接地板式とは、新たに電柱を建てる際に、電柱を埋設する孔の底部に例えば円形状の接地板を設置し、この接地板を接地極とする方式である。特殊深打ち式とは、上記以外の方式であり、例えば、硬質地盤や、砂地等の特殊な地盤に対して適した方式である。
【００１７】
次に、接地工事設計支援システム１について説明する。
図２は、接地工事設計支援システム１の構成を示す図である。図２に示すように、接地工事設計支援システム１は、設計作業者等の操作者によって操作される利用者端末としての携帯端末１０と、携帯端末１０に通信回線２０を介して通信可能なサーバ３０とを備えている。なお、前記利用者端末としては、携帯電話機やＰＤＡ、ノートパソコン等の携帯端末に限らず、机等に設置して使用するデスクトップ型コンピュータ等でもよい。
【００１８】
図３は、接地工事設計支援システム１の機能を示すブロック図である。図３に示すように、携帯端末１０は、通信部１０２と、接地工事条件設定部１０４と、設計情報照会部１０６と、表示部１０８とを備えている。通信部１０２は、通信回線２０を介した通信を制御する。接地工事条件設定部１０４は、操作者からの入力に応じて、変圧器３が設けられる電柱２の識別情報と、変圧器３の接地抵抗の規定値と、接地工事の実施日時とを設定する。電柱の識別情報の入力は、例えば、電柱番号により行われる。規定値の入力は、実際に希望する規定値の数値を入力する。
【００１９】
図４は、電柱番号の構成例を説明するための図である。図４に示すように、電柱番号４０は、地域コードＡと、番号コードＢとにより構成されている。地域コードＡは、特定範囲の地域を示すコード番号である。番号コードＢは、地域コードＡの範囲内にある電柱のコード番号である。例えば、図４に示すように、電柱番号４０は、地域コードＡが「１２」で、番号コードＢが「０」とすると、「１２０」と表すことができる。このような構成により、電柱番号４０からただちに地域を判別することができる。ただし、電柱番号４０の構成は、上記に限定されず、番号と地域とを関連づけたデータベースを参照して地域を判別する構成としてもよい。
【００２０】
図３に戻って、設計情報照会部１０６は、変圧器３が設置される電柱２の電柱番号４０と、この変圧器３の接地抵抗の規定値と、接地工事の実施日時とを含む設計情報を、通信部１０２を介してサーバ３０に送信する。なお、後述するように、サーバ３０は、設計情報照会部１０６からの照会に応じて、接地方式毎に最低限必要な接地極５の設置数や、その時の費用等を携帯端末１０へ送信する。表示部１０８は、サーバ３０から送信されてきた接地方式毎の設置数や工事費用等を表示する。
【００２１】
図５は、携帯端末１０の表示画面を示す図である。図５に示すように、例えば、日時を「２００４．７．３０」、電柱番号を「１２０」、規定値を「６０」と入力すると、後述するように、サーバ３０から携帯端末１０に、電柱番号「１２０」に対応する、線路名、接地種別、および地質に関する各情報が送信され、携帯端末１０の表示画面に表示される。さらに、設計情報照会部１０６からの照会に応じて、表示画面には、前述した接地方式（連結式、浅打ち式、深打ち式、接地板式、特殊深打ち式）毎に最低限必要な接地極５の設置数と、工事費用が表示される。なお、本実施形態では、接地方式毎に設置数と工事費用を表示するようにしたが、複数の接地方式を組み合わせた場合の設置数と工事費用を表示するようにしてもよい。
【００２２】
図３に戻って、サーバ３０は、設備データベース３０２と、地質マップデータベース３０４と、接地方式データベース３０６と、接地費用データベース３０８と、接地工事データベース３１０と、通信部３１２と、設計情報設定部３１４と、位置情報取得部３１６と、地質情報取得部３１７と、接地工事データ抽出部３１８と、絞込部３２０と、算出処理部３２２とを備えている。
【００２３】
図６は、設備データベース３０２の構成を示す図である。図６に示すように、設備データベース３０２は、電柱の識別情報である電柱番号３０２Ａと、この電柱番号３０２Ａに対応する位置情報３０２Ｂとを記憶している。
【００２４】
図７は、地質マップデータベース３０４の構成を示す図である。図７に示すように、地質マップデータベース３０４は、各地域の位置情報３０４Ａと、この位置情報３０４Ａに対応する各地域の地質情報３０４Ｂとを記憶している。位置情報３０４Ａは、例えば、緯度および経度や、住所等で表すことができる。各地域の地質情報３０４Ｂとは、各地域の地質を調査した地図データであり、例えば、土地分類図や土地分類基本調査（ともに国土交通省）を利用できる。なお、地質の種類としては、例えば、(１)礫がち・堆積物、(２)砂がち・堆積物、(３)泥がち・堆積物、(４)砂礫・堆積物、(５)砂丘砂、(６)砂岩、(７)火山・砂屑物、(８)集塊岩・角礫岩質岩石、(９)安山岩・質岩石、(10)流紋岩・質岩石、(11)凝灰岩・質岩石、(12)花崗岩・質岩石、(13)斑れい岩、(14)千枚岩・結晶片岩、の１４の種類に分類したものを利用できる。
【００２５】
図８は、接地方式データベース３０６の構成を示す図である。図８に示すように、接地方式データベース３０６は、接地方式３０６Ａ毎に、接地極を適切に設置可能な地目３０６Ｂに関する情報を記憶している。地目とは、土地の利用目的を示す分類であり、その種類には宅地や農地、公衆用道路等がある。
【００２６】
図９は、接地費用データベース３０８の構成を示す図である。図９に示すように、接地費用データベース３０８は、接地方式３０８Ａ毎に、接地極を１本設置するのに必要な工事費用３０８Ｂに関する情報を記憶している。
【００２７】
図１０は、接地工事データベース３１０の構成を示す図である。図１０に示すように、接地工事データベース３１０は、各電柱に設置された変圧器で実施された接地工事データ３１１を記憶している。接地工事データ３１１には、電柱番号ごとに、接地工事を実施した日時３１１Ａと、接地極が設置された土地の地質３１１Ｂと、接地極が設置された土地の地形情報３１１Ｃと、接地極が設置された土地の地目３１１Ｄと、接地極の接地方式３１１Ｅと、接地方式毎の接地極の設置数３１１Ｆと、接地極の接地抵抗値３１１Ｇとに関するデータが含まれている。
【００２８】
図３に戻って、通信部３１２は、通信回線２０を介した通信を制御するものであり、請求項の受信部に対応する。設計情報設定部３１４は、携帯端末１０から送信された設計情報に含まれる実施日時、電柱番号、および規定値とを関連づけて設定する。さらに、設計情報設定部３１４は、設備データベース３０２と地質マップデータベース３０４と接地工事データベース３１０とから、電柱番号に対応する線路名、接地種別、地質情報を抽出し、携帯端末１０へ送信する。
【００２９】
位置情報取得部３１６は、設計情報設定部３１４に設定された電柱番号３０２Ａに対応する位置情報３０２Ｂを設備データベース３０２から取得する。地質情報取得部３１７は、位置情報取得部３１６で取得した位置情報３０４Ａに基づいて、地質マップデータベース３０４から対応する地質情報３０４Ｂを取得する。接地工事データ抽出部３１８は、地質情報取得部３１７が取得した地質情報と同じ地質情報が含まれている接地工事データを、接地工事データベース３１０から抽出する。
【００３０】
絞込部３２０は、接地工事データ抽出部３１８が抽出した接地工事データを所定の条件に基づいて絞り込むものであり、距離選択部３３２と、時期選択部３３４と、地形選択部３３６と、接地方式選択部３３８と、選択部設定部３４０とを備えている。距離選択部３３２は、設計情報設定部３１４に設定された電柱番号に基づいて、この電柱から最も近い距離に位置する電柱に対応する接地工事データを選択する。具体的には、電柱番号の地域コードＡと同じ地域コードＡを有する電柱番号の接地工事データを選択する。
【００３１】
時期選択部３３４は、実施日時の情報と同じ時期に該当する日時の情報を含む接地工事データを選択する。例えば、実施日時が７月３０日の場合には、夏季に対応する日時（７月〜９月など）の情報を含む接地工事データを選択する。なお、同じ季節となる日時情報を含む接地工事データを選択する以外にも、同月の日時情報を含む接地工事データを選択するようにしてもよい。地形選択部３３６は、電柱が接地された地形情報と同じ地形情報を含む接地工事データを選択する。なお、地形情報とは、その土地が山沿いであるとか、川沿いであるとか、海沿いであるとか等を示す情報である。
【００３２】
接地方式選択部３３８は、接地方式データベース３０６に基づいて、電柱を設置する土地の地目に適した接地方式を選択する。選択部設定部３４０は、絞込部３２０を構成する選択部３３２，３３４，３３６，３３８のうち、どの選択部３３２，３３４，３３６，３３８を機能させるかを設定する。なお、選択部設定部３４０では、選択部３３２，３３４，３３６，３３８を１または２以上設定することができる。
【００３３】
算出処理部３２２は、接地工事データ抽出部３１８が抽出して、絞込部３２０が絞り込んだ接地工事データを用いて、設計情報設定部３１４に設定された接地抵抗値が規定値以下となるように、接地方式毎に最低限必要な接地極の設置数を算出する。また、算出処理部３２２は、接地費用データベース３０８を参照して、この算出した設置数に対応する接地工事費用を算出し、これらの算出結果を通信部３１２に送信する。なお、接地極の設置数を接地方式毎に算出しているが、複数の接地方式を組み合わせた場合の接地数を算出できるようにしてもよい。この場合には、組み合わせた場合についても、接地工事費用が算出されるようにしてもよい。また、絞込部３２０で絞り込んだ接地工事データが複数ある場合には、これのデータを平均化してもよいし、他の条件によって１つのデータに絞ってもよい。
【００３４】
次に、本実施形態における処理の流れについて説明する。
図１１は、処理の流れを示す図である。図１１に示すように、まず、操作者は、携帯端末１０の接地工事条件設定部１０４に、接地工事の実施日時と、工事を行う電柱番号と、所望する規定値とを含む設計情報を設定する（Ｓ１００）。この設定が完了すると、前記設計情報がサーバ３０へと送信される（Ｓ１０２）。サーバ３０では、受信した設計情報に基づいて、設計情報設定部３１４により、実施日時や、電柱番号、規定値に加えて、設備データベース３０２や地質マップデータベース３０４、接地工事データベース３１０から読み出した、線路名、接地種別、および地質情報を設定する（Ｓ１０４）。
【００３５】
また、サーバ３０では、位置情報取得部３１６により、設計情報設定部３１４に設定された電柱番号３０２Ａに対応する位置情報３０２Ｂを設備データベース３０２から取得し（Ｓ１０６）、地質情報取得部３１７により、この取得した位置情報に基づいて地質マップデータベース３０４から対応する地質情報３０４Ｂを取得する（Ｓ１０７）。そして、接地工事データ抽出部３１８により、地質情報取得部３１７が取得した地質情報と同じ地質情報が含まれている接地工事データを接地工事データベース３１０から抽出する（Ｓ１０８）。抽出が完了すると、絞込部３２０により接地工事の設計に利用する接地工事データを絞り込む（Ｓ１１０）。なお、絞込部３２０では、選択部設定部３４０により、各選択部３３２，３３４，３３６，３３８のうち、どの選択部３３２，３３４，３３６，３３８を機能させるかが設定される。
【００３６】
ここで、選択部設定部３４０により、距離選択部３３２が設定されている場合には、設計情報設定部３１４に設定された電柱番号に基づいて、電柱番号の地域コードＡと同じ地域コードＡを有する電柱番号の接地工事データを選択する。また、時期選択部３３４が設定されている場合には、実施日時の情報と同じ時期（季節）に該当する日時の情報を含む接地工事データを選択する。また、地形選択部３３６が設定されている場合には、電柱が接地された地形情報と同じ地形情報を含む接地工事データを選択する。また、接地方式選択部３３８が設定されている場合には、接地方式データベース３０６から、電柱を設置する土地の地目に適した接地方式を選択する。
【００３７】
このようにして絞込部３２０により、接地工事データが絞り込まれたら、この絞り込んだ接地工事データを用いて、設計情報設定部３１４に設定された接地抵抗の規定値以下となるように、接地方式毎に最低限必要な接地極の設置数を算出する（Ｓ１１２）。さらに、必要最低限の接地極設置数が算出されたら、接地費用データベース３０８を参照して、この算出した設置数に対応する工事費用を算出する（Ｓ１１４）。そして、これらの算出結果、線路名、接地種別、および地質情報を携帯端末１０へ送信する（Ｓ１１６）。
携帯端末１０では、サーバ３０から送信された、線路名、接地種別、および地質情報と、算出結果とを表示画面に表示する（Ｓ１１８）。
【００３８】
本実施形態によれば、操作者が携帯端末１０から、接地工事を実施しようとする、電柱番号と、所望する規定値と、工事の実施日時とを入力することにより、サーバ３０内に格納された過去の接地工事データや地質情報等から、接地工事を実施しようとする土地に適した方式と、方式ごと等の最低限必要な接地極の設置数と、その時の工事費用とを簡単に取得できる。このため、実際に接地工事を実施することなく、より効率的な接地工事を設計できる。このように最適な設置数や工事費用を自動的に把握できるため、設計作業者等の能力や経験の有無に関わらず、標準的な設計が可能となる。また、絞込部３２０内に各選択部３３２，３３４，３３６，３３８を設け、選択部設定部３４０で設定を選択できるようにしたので、接地工事を実施する箇所に応じて、利用する過去の接地工事データを適宜選別することができ、設計の精度を向上できる。
【００３９】
なお、本発明は、前記実施形態に限定されない。例えば、前記実施形態では、接地工事データ抽出部３１８で抽出した接地工事データから、絞込部３２０でさらに絞り込んだ接地工事データを用いて、算出処理部３２２が算出処理を行っていたが、絞込部３２０を用いずに、接地工事データ抽出部３１８で抽出した接地工事データの全部または一部を平均化したデータ等を用いても算出処理を行ってもよい。
【００４０】
また、前記実施形態では、接地工事データベース３１８に記憶された接地工事データが地質情報を含み、接地工事データ抽出部３１８により、地質情報取得部３１７で取得した地質情報と同じ地質情報を含む接地工事データを接地工事データベース３１０から抽出する構成としたが、例えば、接地工事データに地質情報を含めずに、接地工事データ抽出部３１８により、設備データベース３０２と地質マップデータベース３０４とに基づいて、地質情報取得部３１７で取得した地質情報と同じ地質情報を含む電柱番号を取得し、この取得した電柱番号についての接地工事データを接地工事データベース３１０から抽出するようにしてもよい。
【図面の簡単な説明】
【００４１】
【図１】本発明の一実施形態に係る接地工事設計支援システムが利用される接地工事が実施された電柱を示す模式図である。
【図２】前記接地工事設計支援システムの構成を示す図である。
【図３】前記接地工事設計支援システムの機能を示すブロック図である。
【図４】電柱番号を説明するための図である。
【図５】端末の表示画面を示す図である。
【図６】設備データベースの構成を示す図である。
【図７】地質マップデータベースの構成を示す図である。
【図８】接地方式データベースの構成を示す図である。
【図９】接地費用データベースの構成を示す図である。
【図１０】接地工事データベースの構成を示す図である。
【図１１】処理の流れを示す図である。
【符号の説明】
【００４２】
１      接地工事設計支援システム
２      電柱                              ３      変圧器
４      接地線                            ５      接地極
１０      携帯端末                        ２０      通信回線
３０      サーバ                          ４０      電柱番号
１０２      通信部                        １０４      接地工事条件設定部
１０６      設計情報照会部                １０８      表示部
３０２      設備データベース
３０２Ａ    電柱番号                      ３０２Ｂ    位置情報
３０４      地質マップデータベース
３０４Ａ    位置情報                      ３０４Ｂ    地質情報
３０６      接地方式データベース
３０６Ａ    接地方式                      ３０６Ｂ    地目
３０８      接地費用データベース
３０８Ａ    接地方式                      ３０８Ｂ    工事費用
３１０      接地工事データベース
３１１      接地工事データ                ３１１Ａ    日時
３１１Ｂ    地質                          ３１１Ｃ    地形情報
３１１Ｄ    地目                          ３１１Ｅ    接地方式
３１１Ｆ    設置数                        ３１１Ｇ    接地抵抗値
３１２      通信部（受信部）              ３１４      設計情報設定部
３１６      位置情報取得部                ３１７      地質情報取得部
３１８      接地工事データ抽出部          ３２０      絞込部
３２２      算出処理部                    ３３２      距離選択部
３３４      時期選択部                    ３３６      地形選択部
３３８      接地方式選択部                ３４０      選択部設定部
Ａ        地域コード                      Ｂ        番号コード
【図１】
2006079400.tif 000003
【図２】
2006079400.tif 000004
【図３】
2006079400.tif 000005
【図４】
2006079400.tif 000006
【図５】
2006079400.tif 000007
【図６】
2006079400.tif 000008
【図７】
2006079400.tif 000009
【図８】
2006079400.tif 000010
【図９】
2006079400.tif 000011
【図１０】
2006079400.tif 000012
【図１１】
2006079400.tif 000013